(57)【要約】【課題】本発明は、円背症状のある人に適した折り畳み椅子を提供することを課題とする。【解決手段】折り畳み椅子１０は、前脚部１１と、後脚部１２と、該前脚部１１及び該後脚部１２によって下方から支持される座部１３とを備えている。また、該折り畳み椅子１０は、該座部１３の後縁を掴んで持ち上げ、該座部１３の上面が前側となるように該座部１３を回動させると、該前脚部１１と該後脚部１２とが互いに接近して折り畳まれ、この折り畳んだ状態で自立する。なお、前記座部１１の後脚部１２側には、該座部１３に着座した使用者の腰を受ける腰当て部１４が配設され、腰当て部高さＨが、１００ｍｍ≦Ｈ≦２００ｍｍに設定されている。【選択図】  図１
2010069078.tif 000002
【特許請求の範囲】
【請求項１】
前脚部と、
後脚部と、
該前脚部及び該後脚部によって下方から支持された状態で上面が座面となる座部と
を備えた折り畳み椅子であって、
前記座部の後脚部側には、該座部に着座した使用者の腰が当接する腰当て部が、該座面に対して上方に設けられていると共に、
前記座面から前記腰当て部の上端までの鉛直高さである腰当て部高さＨが、１００ｍｍ≦Ｈ≦２００ｍｍとされていることを特徴とする折り畳み椅子。
【請求項２】
前記腰当て部の前面は、後方側へ湾曲した湾曲面とされており、該湾曲面に、前記座部に着座した使用者の腰が面接触する請求項１記載の折り畳み椅子。
【請求項３】
前記腰当て部は、
横幅Ｗが、２５０ｍｍ≦Ｗ≦３００ｍｍとされ、
湾曲深さＸが、１０ｍｍ≦Ｘ≦３０ｍｍとされている請求項２記載の折り畳み椅子。
【請求項４】
前記腰当て部は、クッション材からなる請求項１乃至請求項３のいずれか１項に記載の折り畳み椅子。
【請求項５】
該座部の後脚部側を後方として、該座部の後縁を掴んで持ち上げ、該座部の上面が前側となるように該座部を回動させ、さらに該前脚部と該後脚部とを互いに接近させて折り畳み、折り畳んだ状態で自立する請求項１乃至請求項４のいずれか１項に記載の折り畳み椅子。
【発明の詳細な説明】
【技術分野】
【０００１】
本発明は、高齢者、特に女性の高齢者に多い円背症（脊柱後湾症）の人などに適した折り畳み椅子に関するものである。
【背景技術】
【０００２】
高齢者や身障者が使用する折り畳み椅子は、既に提供されている（例えば、特許文献１参照。）。このような椅子は、高齢者等が浴室内でシャワーを浴びる等の介護の際に、非常に有用である。
また、上記の椅子は、着座した者の姿勢を安定させるべく、背もたれが設けられていることが一般的である。このように背もたれが設けられていると、使用者が、背もたれに体をあずけることによって、腰から上の背中部分が後ろから支持されることとなり、長い時間、安定して座り続けることができる。
【０００３】
【特許文献１】特開２００７−３７６０８号公報
【発明の開示】
【発明が解決しようとする課題】
【０００４】
しかしながら、従来の折り畳み椅子を、特に女性の高齢者に多い円背症（脊柱後湾症）の人が使用すると、着座した際に、図１０ｂに示すように、その円背の突起部が前記背もたれに接触し、これにより痛みを感じたり、その部位に炎症を起こしたりすることがあった。
一方、円背の突起部が背もたれに当たらないように座ろうとすると、図１１に示すように、無理な後傾姿勢で浅く腰掛けることとなり、今度は着座位置が座面の前方寄りとなって、使用者が座面前方から滑り落ちてしまう場合があるという問題があった。かかる問題は、水を使用する浴室内で用いる場合に、特に重大な問題となる。
【課題を解決するための手段】
【０００５】
本発明は、上記課題を解決するためになされたものであり、前脚部と、後脚部と、該前脚部及び該後脚部によって下方から支持された状態で上面が座面となる座部とを備えた折り畳み椅子であって、前記座部の後脚部側には、該座部に着座した使用者の腰が当接する腰当て部が、該座面に対して上方に設けられていると共に、前記座面から前記腰当て部の上端までの鉛直高さである腰当て部高さＨが、１００ｍｍ≦Ｈ≦２００ｍｍとされていることを特徴とする折り畳み椅子である。
【０００６】
上記構成によれば、使用者の腰部を腰当て部で受けて支持することができるため、着座姿勢を安定化させることができると共に、該腰当て部は、低背に設定されるため、円背症状のある者が使用した場合でも、その円背の突起部が着座時に椅子へ接触することが避けられる。このため、本発明の折り畳み椅子は、安定な着座姿勢を保ちつつ、円背の痛みや悪化を防止することができ、快適な使用感を提供できる。
【０００７】
なお、上記構成にあって、前記腰当て部の前面は、後方側へ湾曲した湾曲面とされており、該湾曲面に、前記座部に着座した使用者の腰が面接触する構成とすることが望ましい。
【０００８】
かかる構成は、使用者の腰周りに対応して、腰当て部の前面を上記形状としたものであり、着座時においてさらに着座姿勢の安定化が図られる。
【０００９】
ここで、前記腰当て部は、横幅Ｗが、２５０ｍｍ≦Ｗ≦３００ｍｍとされ、湾曲深さＸが、１０ｍｍ≦Ｘ≦３０ｍｍとされていることが望ましい。
【００１０】
横幅Ｗが上記範囲内に設定され、湾曲深さＸが上記範囲内に設定されると、円背症状である使用者の着座姿勢が最適となる。
【００１１】
また、前記腰当て部は、クッション材からなる構成としてもよい。
【００１２】
かかる構成は、使用者の腰がクッション部分に当接して支持されるため、着座姿勢が安定化すると共に、椅子への接触による痛みが低減されて、長時間の使用が可能となる。
【００１３】
また、これまでに述べた構成にあっては、該座部の後脚部側を後方として、該座部の後縁を掴んで持ち上げ、該座部の上面が前側となるように該座部を回動させ、さらに該前脚部と該後脚部とを互いに接近させて折り畳み、折り畳んだ状態で自立するものが望ましい。
【００１４】
特に円背症状を患う使用者は、高齢で介護を要する場合が多いところ、本発明は、介護者が片方の手で使用者を抱きかかえるなどして介助しつつ、他方の手で当該椅子を折り畳んで持ち運ぶなどの作業を行うことが可能となる。また、該椅子は、折り畳んだ状態で自立するため、壁に立てかけたりする必要もない。さらに、前記座部の上面は、折り畳み状態で前側に向くため、見栄えが良い。
【発明の効果】
【００１５】
本発明の折り畳み椅子は、使用者の腰を支持する腰当て部を備えているため、着座姿勢が安定するという効果があると共に、該腰当て部の腰当て部高さHが上記範囲に設定されているため、特に円背症状を患う使用者が使用した場合に、その円背の突起部が椅子に接触せず、使用時に痛みがないという優れた効果がある。
【発明を実施するための最良の形態】
【００１６】
以下、本発明の折り畳み椅子を具体化した一実施形態を、添付図面に従って説明する。
図１等に示すように、折り畳み椅子１０は、左右一対の前脚部１１と、左右一対の後脚部１２と、該左右一対の前脚部１１及び該左右一対の後脚部１２によって下方から支持される座部１３とを備えている。また、該折り畳み椅子１０は、前記座部１３の後方に、腰当て部１４を備えている。なお、該腰当て部１４は、本発明の要部に係るため、後で詳述する。
【００１７】
図４，５に示すように、前記前脚部１１の各上端部には、座側枠部１６が各々後方へ向けて延長形成されている。さらに、各座側枠部１６の後端部には、コの字形の腰当て枠１７が、左右の各座側枠部１６を繋ぐようにして、上方へ向けて延長形成されている。
なお、これまでに述べた左右一対の前脚部１１、左右一対の座側枠部１６、及び腰当て枠１７は、１本のアルミ製パイプが屈曲形成されて構成されている。
【００１８】
また、図５に示すように、上記前脚部１１は、前脚上部パイプ１１Ａと、前脚下部パイプ１１Ｂとからなり、該前脚上部パイプ１１Ａには、該前脚下部パイプ１１Ｂが摺動可能に外挿されている。そして、該前脚下部パイプ１１Ｂを摺動させて、脚長さを調整可能としている。
更に詳述すると、該前脚上部パイプ１１Ａ内には、挿通ピン１１Ｄが具備されており、該挿通ピン１１Ｄは、該前脚上部パイプ１１Ａの内部から付勢されることによって、該前脚上部パイプ１１Ａの外周面上に突出している。一方、該前脚下部パイプ１１Ｂには、複数の係止孔１１Ｃが設けられている。かかる構成にあって、該前脚部１１の長さ調節時には、該挿通ピン１１Ｄを該前脚上部パイプ１１Ａ内に押し込みつつ、該前脚上部パイプ１１Ａに対して該前脚下部パイプ１１Ｂを移動させ、該挿通ピン１１Ｄを所定の係合孔１１Ｃに係合させる。そうすると、該前脚下部パイプ１１Ｂが、該前脚上部パイプ１１Ａに対して固定される。このような手順に基づき、係合孔１１Ｃを適宜選択して、該前脚部１１の長さを変更することができる。なお、該前脚下部パイプ１１Ｂの下端には、ゴム製の滑り止めキャップ１１Ｅが取り付けられており、該前脚部１１が床上で滑ることを抑制している。
【００１９】
一方、図４，５に示すように、前記後脚部１２の各上端部には、座支持枠部２１が各々前方へ向けて延長形成されている。そして、図１，２，５に示すように、前記座側枠部１６と、前記座支持枠部２１の上縁に、板状部材からなる座部１３が配設されている。該座部１３は、幅３６０ｍｍ、奥行き３００ｍｍの寸法とされ、その上面が座面１３Ｂとして使用される。
なお、上述の左右一対の後脚部１２、及び左右一対の座支持枠部２１は、１本のアルミ製パイプが屈曲形成されて構成されている。
【００２０】
また、図５に示すように、該後脚部１２は、後脚上部パイプ１２Ａと、該後脚上部パイプ１２Ａに外挿された後脚下部パイプ１２Ｂとを有している。該後脚上部パイプ１２Ａ内には、挿通ピン１２Ｄが具備されており、該挿通ピン１２Ｄは、該後脚上部パイプ１２Ａの内部から付勢されることによって、該後脚上部パイプ１２Ａの外周面上に突出している。一方、該後脚下部パイプ１２Ｂには、複数の係止孔１２Ｃが設けられている。そして、前脚部１１と同様の構成により、該後脚部１２の長さを変更することができる。
さらに、該後脚下部パイプ１２Ｂの下端には、ゴム製の滑り止めキャップ１２Ｅが取り付けられ、該後脚部１２が床上で滑ることを抑制している。
【００２１】
次に、折り畳み椅子１０の折り畳み機構について説明する。
図１等に示すように、左右の前脚部１１の上端部間には、リンクバー１８が水平に差渡されている。さらに、左右の座側枠部１６の前端部間には、前側支持バー１９が水平に差渡されている（図４、図５参照）。一方、上記左右の座側枠部１６の後端部間には、ロックバー２０が水平に差渡されている（図４、図５参照）。また、左右の該座支持枠部２１の後端部間には、後側支持バー２２が差渡されている（図４、図５参照）。
【００２２】
さらに、前記座支持枠部２１の先端（前端）には、回動座１３Ａが枢着されている。該回動座１３Ａは、前記座部１３の下面であって、該座部１３の前後方向における中間位置に配置される。かかる構成により、前記後脚部１２は、該座支持枠部２１とともに、該座部１３に対し、上下方向で回動自在となる。
【００２３】
また、該座支持枠部２１と、その外側に配置されている左右の該座側枠部１６とは、回動軸２３により、前後方向の中間部で互いに枢着されている。その結果、後脚部１２及び座支持枠部２１、並びに、前脚部１１及び座側枠部１６は、該回動軸２３を中心に、相対的に上下方向で回動自在となる。
【００２４】
また、該座部１３の下面で前部には、リンク座１３Ｃが設けられている。さらに、該リンク座１３Ｃと、該前脚部１１のリンクバー１８との間には、リンク２４が差渡されている。該リンク２４は、該座部１３を該座支持枠部２１に対して上下方向に回動させた場合に、該座部１３に連動して該前脚部１１及び該座側枠部１６を、該後脚部１２及び該座支持枠部２１に対して回動させるように機能する。
なお、本発明の折り畳み椅子１０にあっては、リンクバー１８を省略し、該リンク２４を該座部１３の前部のリンク座１３Ｃと、該左右一対の前脚部１１の上部との間に差渡してもよい。
【００２５】
該座部１３の下面で前後方向の中間部より前側には、左右一対の前側支持座１３Ｄが設けられている。該前側支持座１３Ｄは、該座側枠部１６の該前側支持バー１９に上から当接している。これにより、該座部１３が、該前側支持座１３Ｄを介して、左右の該座側枠部１６の間で該前側支持バー１９上に支持される。
また該座部１３の下面で前後方向の中間部より後側には、左右一対の後側支持座１３Ｅが設けられている。該後側支持座１３Ｅは、該座支持枠部２１の該後側支持バー２２に上から当接している。これにより、該座部１３が、該後側支持座１３Ｅを介して、該後側支持バー２２上に支持されることとなり、左右の該座支持枠部２１の上に配置される。
【００２６】
また、図７（ａ）に示すように、該座部１３の後端部には、横長の開口部１３Ｆが開口され、かつ該開口部１３Ｆの周縁部分からなる差し渡し箇所により把手２５が構成されている。さらに、該把手２５よりも下方には、操作ハンドル２６が設けられている。
【００２７】
前記操作ハンドル２６は、左右一対の係合爪２７と、左右の該係合爪２７の先端部間（前端部間）に差渡された断面横Ｌ字状の連結棒２８と、後端部間に差渡された丸棒状の掴みバー２９とからなる。該操作ハンドル２６において、各係合爪２７の一側面（外側面）における先端部には、軸３０が設けられている。該操作ハンドル２６は、軸３０が該座部１３の後縁部下面で凹部１３Ｆの内側に枢着されることにより、該軸３０を中心に、該掴みバー２９が把手２５に接近又は離間するようにして上下方向へ回動できるように取り付けられている（図７（ａ），（ｂ）参照）。また、該掴みバー２９は、該把手２５と平行で、かつ該座部１３の後縁よりも後方に突出しないように配置されている。
さらに、該係合爪２７の後端部上面と、該座部１３の後縁部下面で凹部１３Ｆの天面部１３Ｇとの間には、バネ３１が設けられている。該バネ３１は、該掴みバー２９が該把手２５から離間する方向（下方向）に、該操作ハンドル２６を常時付勢している。そして、該バネ３１の付勢力によって付勢された該操作ハンドル２６は、該係合爪２７を該ロックバー２０に係合させている。
【００２８】
ここで、該掴みバー２９は、該座部１３の後縁よりも後方に突出しないように配置されているため、折り畳み椅子１０の使用時に、該掴みバー２９に使用者の体が当たったり、タオル等が引っ掛かったり、使用時に誤って該係合爪２７と該ロックバー２０の係合が解除されたりすることが防止されている。
また、該係合爪２７を左右一対とし、該ロックバー２０の左右２箇所に係合させているため、該係合爪２７による該ロックバー２０の固定は確実なものとなる。
【００２９】
これまでに述べた構成に基づき、折り畳み椅子１０は、次の手順で折り畳まれる。
折り畳み椅子１０を折り畳む際には、まず片手で座部１３の後縁の把手２５と掴みバー２９の両方を共に掴んで、座部１３のロックを解除する。次に、把手２５と掴みバー２９の両方を掴んだまま、座部１３を持ち上げると、該座部１３の座面１３Ｂが前側となるように該座部１３が回動すると共に、前脚部１１と後脚部１２とが互いに接近し始める。このとき、折り畳み椅子１０の前後方向における把手２５の位置と、折り畳み椅子１０の重心の位置とが若干ずれているが、前脚部１１と後脚部１２がそれぞれ接地したまま床上を滑って接近するので、折り畳み椅子１０が傾くことはない。そして更に、座部１３を持ち上げると、前脚部１１と後脚部１２とが接近し終わり、床から離れて折り畳み椅子１０の折り畳みが完了する。
【００３０】
このように折り畳み椅子１０が折り畳まれた状態であり、かつ座部１３の把手２５が掴まれて該折り畳み椅子１０が持ち上げられた状態では、折り畳み椅子１０の前後方向における把手２５の位置と、椅子１０の重心の位置とが一致するように設定されているため、椅子１０は傾くことなく垂直状態を維持する。このため、折り畳み状態のままの椅子１０は、再び床に静置するだけで自立する。
【００３１】
次に、掴みバー２９の係合機構について、詳述する。
図７（ｂ），（ｃ）に示すように、該折り畳み椅子１０の折り畳み時において、該座部１３の後縁を掴むときは、該掴みバー２９が該把手２５と平行に配置されているため、該把手２５を握り込むようにして、該把手２５とともに該掴みバー２９を掴むことができる。その結果、該把手２５を握り込むという自然な動作でありながら、手のひら全体で力を加えて掴みバー２９を動かすことができ、握力のない者、特に高齢者、身障者であっても掴みバー２９の操作を楽に行うことができる。
【００３２】
また、上記のように該把手２５とともに該掴みバー２９を掴めば、該掴みバー２９の移動に伴い、該バネ３１の付勢力に抗して該操作ハンドル２６全体が軸３０を中心に上方へ回動し、該係合爪２７と該ロックバー２０の係合が解除される。このとき、左右の該係合爪２７は、該連結棒２８と該掴みバー２９で繋がれているため、該掴みバー２９を動かすことにより、左右の係合爪２７が連動して動き、該ロックバー２０に対する左右の係合爪２７の係合解除操作を一度で確実に行うことができる。
【００３３】
さらに、図７（ｃ）に示すように、該係合爪２７と該ロックバー２０の係合が解除された後、使用者は、該把手２５を握り込んだまま、該座部１３の後縁を掴んで持ち上げれば、リンク２４により、該座部１３に連動して前脚部１１が後脚部１２に接近するように動き、また後脚部１２も前脚部１１に接近するように動いて、該折り畳み椅子１０が折り畳まれる。
【００３４】
上記折り畳み方法において、座部１３の後縁を掴んで持ち上げることは、両手を使わずとも片手で行うことができる。すなわち、前脚部１１及び後脚部１２の動きにおいて、これら前脚部１１及び後脚部１２は、該座部１３の後縁を掴んで持ち上げた場合、それぞれの重さにより、該座部１３に吊られるようにして自然に動く。
【００３５】
図８，９に示すように、折り畳んだ状態の折り畳み椅子１０においては、座側枠部１６と座支持枠部２１とが互いの前後方向の中間部でそれぞれ枢着されているため、前脚部１１と後脚部１２とが間を空けて前後方向に並ぶように配置される。このため、折り畳んだ状態の折り畳み椅子１０は、前脚部１１と後脚部１２で支持させることにより、上述のように自立させることができる。
また、折り畳んだ状態の折り畳み椅子１０は、該座部１３の該把手２５を掴んで持ち運びされる。つまり、折り畳んだ状態の該折り畳み椅子１０にあっては、腰当て部１４を持つ場合に比べ、該座部１３の該把手２５から前脚部１１あるいは後脚部１２の下端までの長さが短いため、前脚部１１あるいは後脚部１２が床につきにくい。従って、力のない者、特に高齢者、身障者であっても、前脚部１１あるいは後脚部１２が床につかないように持ち上げやすく、このため前脚部１１あるいは後脚部１２を床に引きずらせながら持ち運ぶような不具合が解消される。
【００３６】
また、該折り畳み椅子１０は、折り畳み状態で、該座部１３の座面１３Ｂが前側となる。該座部１３にあっては、その下面に回動座１３Ａ、リンク座１３Ｃ、前側支持座１３Ｄ、後側支持座１３Ｅ、操作ハンドル２６等、見映えを低下させる様々なものが配置されているが、折り畳み状態において、全て隠れることとなるため、見映えが良い。
【００３７】
次に、本発明の要部である腰当て部１４について説明する。
本発明の特徴部分である腰当て部１４（ランバーサポート）は、プラスチックのブロー成型品で構成され、前記腰当て枠１７における中央の水平部分に配設されている。また、その前面１４Ａは、後方側へ湾曲した湾曲面とされている。これは、腰当て部１４の前面１４Ａを着座した使用者の腰周りに対応させるためであり、該湾曲面には、着座した使用者の腰が面接触する（図１０ａ参照）。
なお、該腰当て部１４は、発泡ＥＶＡからなるクッション材料で構成されたパッド型のものとするのが望ましい。このように、腰当て部１４にクッション材料を用いた場合は、着座時の痛みを抑制できる。
【００３８】
腰当て部１４についてさらに詳述すると、該腰当て部１４は、背中を避けて腰部を支持するものであり、前記座面１３Ｂから前記腰当て部１４の上端までの鉛直高さである腰当て部高さＨ（図１等参照）は、１００ｍｍ≦Ｈ≦２００ｍｍの範囲内に設定され、好ましくは１００ｍｍ≦Ｈ≦１２０ｍｍの範囲内に設定される。また、該腰当て部１４の横幅Ｗ（図３参照）は、２５０≦Ｗ≦３００ｍｍの範囲内に設定される。また、該腰当て部１４の前面１４Ａにおいて、前端から最深部までの湾曲深さＸ（図３参照）は、１０ｍｍ≦Ｘ≦３０ｍｍの範囲内に設定されている。さらには、該腰当て部１４の前端と、該座部１３の前端との水平距離Ｌ（図５参照）は、３２０ｍｍとされている。
【００３９】
本発明の椅子１０は、腰当て部高さＨが上述の範囲内で設定されるため、図１０（ａ）に示すように、円背症状のある者（身長１３５ｃｍを想定）が使用した場合にあっても、円背の突起部が接触する部位がない。これに対し、図１０（ｂ）に示すように、従来構成の椅子１００は、背もたれ部ａに円背の突起部が当たってしまい、痛みを伴う。
さらに、本発明の折り畳み椅子１０は、使用者のいわゆる座骨結節が、座面のほぼ中央に位置することとなるため、着座姿勢が適正化されて、前記症状の者でも座りやすい。一方、従来構成の椅子１００は、図１１に示すように、使用者が痛みを避けようと無理な後傾姿勢で座ることにもなるため、使用者が座部の前方から滑り落ちてしまうおそれがある。
【００４０】
なお、該腰当て部１４において、横幅Ｗが、２５０ｍｍ未満であると、腰部を充分に受けることができず、着座した使用者が不安を感じる。一方、横幅Ｗが、３００ｍｍを超えると、腰部を受ける腰当てとして不必要な長さで無意味であり、コスト高にもつながる。また、湾曲深さＸが、１０ｍｍ未満であると、腰部が充分に面接触せず、使用者が左右に倒れてしまうおそれがある。一方、該湾曲深さＸが、３０ｍｍを超えると、着座時に窮屈となって使用者における上半身の動きの自由度が制限される。
【００４１】
なお、該腰当て部１４は、腰当て枠１７上縁に対して固定されているが、上記腰当て部高さＨの範囲内で回動自在に取り付けてもよい。腰当て部１４を腰当て枠１７上縁に対して回動自在に取り付けた場合、使用者の体格などに合わせて該腰当て部１４の角度を調整できるという効果を奏する。
【００４２】
本発明の折り畳み椅子は、上記実施形態に限定されるものではなく、例えばロックバーは、背もたれ枠の下端の間、又は左右の座支持枠部の後端の間に設けてもよい。
【産業上の利用可能性】
【００４３】
本発明は、高齢者等が使用する折り畳み椅子であって介護の際に利用されるものであるため、産業上利用可能である。
【図面の簡単な説明】
【００４４】
【図１】実施形態の折り畳み椅子を示す正面図。
【図２】実施形態の折り畳み椅子を示す背面図。
【図３】実施形態の折り畳み椅子を示す平面図。
【図４】実施形態の折り畳み椅子を示す底面図。
【図５】実施形態の折り畳み椅子を示す側面図。
【図６】実施形態の折り畳み椅子を示す側断面図。
【図７】（ａ）〜（ｃ）は、折り畳み椅子の折り畳み時の操作を示す断面図。
【図８】折り畳まれた状態の折り畳み椅子を示す正面図。
【図９】折り畳まれた状態の折り畳み椅子を示す側面図。
【図１０】使用状態を示す説明図であり、（ａ）は本発明の折り畳み椅子を示し、（ｂ）は従来の折り畳み椅子を示している。
【図１１】従来の折り畳み椅子を示す説明図である。
【符号の説明】
【００４５】
１０    折り畳み椅子
１１    前脚部
１２    後脚部
１３    座部
１３Ｂ  座面
１４    腰当て部
１４Ａ  腰当て部の前面
Ｈ      腰当て部高さ
Ｗ      横幅
Ｘ      湾曲深さ
【図１】
2010069078.tif 000003
【図２】
2010069078.tif 000004
【図３】
2010069078.tif 000005
【図４】
2010069078.tif 000006
【図５】
2010069078.tif 000007
【図６】
2010069078.tif 000008
【図７】
2010069078.tif 000009
【図８】
2010069078.tif 000010
【図９】
2010069078.tif 000011
【図１０】
2010069078.tif 000012
【図１１】
2010069078.tif 000013